(57)【要約】【課題】早くかつ確実に木を伐採することのできるチェーンソーの案内板を提供する。【解決手段】周囲に設けられたガイド溝２１によりソーチェーンがガイドされるチェーンソーの案内板２０である。この案内板２０には、水平器２５が設けられている。【選択図】図１
2014004765.tif 000002
【特許請求の範囲】
【請求項１】
周囲に設けられたガイド溝によりソーチェーンがガイドされるチェーンソーの案内板において、
該案内板には、水平器が設けられていることを特徴とするチェーンソーの案内板。
【請求項２】
前記水平器は、前記案内板に埋設されていることを特徴とする請求項１記載のチェーンソーの案内板。
【請求項３】
前記水平器は、円盤状であることを特徴とする請求項１又は２記載のチェーンソーの案内板。
【請求項４】
前記水平器は、棒状であることを特徴とする請求項１又は２記載のチェーンソーの案内板。
【請求項５】
前記水平器には、目盛りが付されていることを特徴とする請求項３又は４記載のチェーンソーの案内板。
【発明の詳細な説明】
【技術分野】
【０００１】
本発明は、周囲に設けられたガイド溝によりソーチェーンがガイドされるチェーンソーの案内板に関する。
【背景技術】
【０００２】
通常、木を伐採するには、例えば技術文献１に記載されたチェーンソーが使用される。この際、図７に示すように、まず、木を倒す方向（矢印Ａで示す方向）側の幹８０のなるべく低い位置に楔形をした受け口８１を形成する。この受け口８１は、いわゆる「下切り」により切り込まれた切込み面８２と、いわゆる「斜め切り」により切り込まれた切込み面８３とからなっている。先に形成される切込み面８２は木の幹８０に水平に切り込んで形成され、次に形成される切込み面８３は水平に対し切込み角θの角度で木の幹８０に切り込んで形成される。なお、切込み角θは、通常３０度〜４５度である。その後、受け口８１の反対側から追い口８４を木の幹８０に切り込む。この追い口８４は、受け口の約３分の２の高さで木の幹８０に水平に切り込んで形成される。
【０００３】
ここで、受け口８１や追い口８４が正確に形成されなければ、早くかつ確実に木を伐採することができないばかりでなく、作業者の安全が脅かされる。そのため、木の伐採に際しては、木の幹８０に所定の角度（特に水平）をもって切り込む必要がある。そして、所定の角度（特に水平）をもって木の幹８０に切り込むためには、チェーンソーの案内板を所定の角度（特に水平）で維持しなければならない。
【先行技術文献】
【特許文献】
【０００４】
【特許文献１】特開平６−５５５０３号公報
【発明の概要】
【発明が解決しようとする課題】
【０００５】
しかし、上記のような作業は特別なものであり、長年、山林の仕事に従事してきた熟練者でなければ容易にできる作業ではない。ところで、近年、いわゆるＵターン・Ｉターン等により、経験の浅い者が林業に従事することが多くなっている。そのため、経験の浅い者であっても、早くかつ確実に木を伐採できるようにすることが求められている。
【０００６】
本発明はかかる従来の問題点に鑑みてなされたものであり、早くかつ確実に木を伐採することのできるチェーンソーの案内板を提供するものである。
【課題を解決するための手段】
【０００７】
上記の課題を解決するために、請求項１に係るチェーンソーの案内板の特徴は、周囲に設けられたガイド溝によりソーチェーンがガイドされるチェーンソーの案内板において、該案内板には、水平器が設けられていることである。
【０００８】
請求項２に係るチェーンソーの案内板の特徴は、前記水平器は、前記案内板に埋設されていることである。
【０００９】
請求項３に係るチェーンソーの案内板の特徴は、前記水平器は、円盤状であることである。
【００１０】
請求項４に係るチェーンソーの案内板の特徴は、前記水平器は、棒状であることである。
【００１１】
請求項５に係るチェーンソーの案内板の特徴は、前記水平器には、目盛りが付されていることである。
【発明の効果】
【００１２】
請求項１に係るチェーンソーの案内板においては、案内板に水平器が設けられているため、作業者は水平器を見ることにより容易にチェーンソーの案内板を水平に維持することができる。そのため、このチェーンソーの案内板を用いれば、経験の浅い者であっても容易に受け口や追い口を形成することが可能である。したがって、このチェーンソーの案内板によれば、早くかつ確実に木を伐採することができる。
【００１３】
請求項２に係るチェーンソーの案内板においては、水平器が案内板に埋設されているため水平器が邪魔にならず、作業時や収納時の取り扱いが容易である。
【００１４】
請求項３に係るチェーンソーの案内板においては、水平器が円盤状であるため、１個の水平器を見るだけで全方向についてチェーンソーの案内板を水平に維持することができる。
【００１５】
請求項４に係るチェーンソーの案内板においては、水平器が棒状であるため、高精度でチェーンソーの案内板を水平に維持することができる。なお、外形が円盤状であっても、その中に互いに垂直に配置された２本の棒状水平器が収納されているものは、本明細書においては棒状の水平器として扱うものとする。
【００１６】
請求項５に係るチェーンソーの案内板においては、水平器には目盛りが付されているため、チェーンソーの案内板を容易に所望の角度に維持することができる。これにより、特に、受け口の斜め切りが容易になる。
【図面の簡単な説明】
【００１７】
【図１】実施形態１のチェーンソーの案内板の分解斜視図。
【図２】実施形態１のチェーンソーの案内板の組立て斜視図。
【図３】実施形態１のチェーンソーの案内板に係り、図２のＩＩＩ−ＩＩＩ矢視断面図。
【図４】実施形態２のチェーンソーの案内板の分解斜視図。
【図５】実施形態２のチェーンソーの案内板の組立て斜視図。
【図６】実施形態２のチェーンソーの案内板に係り、図５のＶＩ−ＶＩ矢視断面図。
【図７】木の伐採方法を示す図。
【発明を実施するための形態】
【００１８】
本発明に係るチェーンソーの案内板を具体化した実施形態１及び２を図面に基づいて以下に説明する。まず、実施形態１のチェーンソーの案内板について説明する。図１はチェーンソーの案内板の分解斜視図であり、図２は組立て斜視図である。また、図３は、図２におけるＩＩＩ−ＩＩＩ矢視断面図である。図１及び図２に示すように、このチェーンソーの案内板２０は、円盤状の水平器２５と２個のリング状の蓋２４とを備えている。案内板２０は略楕円形状をなす一枚の鋼板で、その外周部にはソーチェーン（図示なし）をガイドするガイド溝２１が凹設されている。また、案内板２０の先端部には超硬部材２２が溶接されている。さらに、案内板２０の先端寄りの中央部には、水平器２５を収納する孔２３が透設されている。
【００１９】
図３に示すように、孔２３の内周部には、段差２３ａが内周に沿ってリング状に、案内板２０の表面及び裏面の２箇所に形成されている。水平器２５は円盤状をなし、樹脂性のハウジング２６内に液体２７が気泡２８とともに封入されている。
【００２０】
このチェーンソーの案内板２０では、案内板２０の孔２３に水平器２５を嵌入し、案内板２０の表面及び裏面の２箇所の段差２３ａに蓋２４を嵌入する。そして、スポット溶接、ロウ付け等により、蓋２４を案内板２０に固着する。こうして、水平器２５が案内板２０に固着され、図２に示すように、チェーンソーの案内板２０が組立てられる。なお、水平器２５として、目盛りが付されたものを用いることが好ましい。
【００２１】
実施形態１のチェーンソーの案内板２０では、案内板２０に水平器２５が設けられているため、作業者は水平器２５を見ることにより容易に案内板２０を水平に維持することができる。そのため、このチェーンソーの案内板２０を用いれば、経験の浅い者であっても容易に受け口や追い口を形成することが可能である。したがって、このチェーンソーの案内板２０によれば、早くかつ確実に木を伐採することができる。
【００２２】
また、このチェーンソーの案内板２０においては、水平器２５が案内板２０に埋設されているため水平器２５が邪魔にならず、作業時や収納時の取り扱いが容易である。
【００２３】
さらに、このチェーンソーの案内板２０においては、水平器２５が円盤状であるため、１個の水平器２５を見るだけで全方向についてチェーンソーの案内板２０を水平に維持することができる。なお、目盛りが付された水平器２５を用いるのであれば、チェーンソーの案内板２０を容易に所望の角度に維持することができる。これにより、特に、受け口の斜め切りが容易になる。
【００２４】
次に、実施形態２のチェーンソーの案内板について説明する。図４はチェーンソーの案内板の分解斜視図であり、図５は組立て斜視図である。また、図６は、図５におけるＶＩ−ＶＩ矢視断面図である。図４及び図５に示すように、このチェーンソーの案内板４０は、一対の外板４１と、両外板４１に間に挟着される内板４２と、スプロケット４４ｃと、２個の棒状の水平器４５とを備えている。
【００２５】
外板４１及び内板４２は略楕円形状をなす鋼板で、内板４２の方が外板４１よりも外形が少し小さくなっている。そして、両外板４１と内板４２とは接合され一体化されている。両外板４１と内板４２と外形差によりガイド溝４３が形成され、このガイド溝４３によりソーチェーン（図示なし）がガイドされる。また、内板４２の先端部は円弧状に欠けており、両外板４１と内板４２とが接合されてできる間隙にインナープレート４４ａ、ベアリング４４ｂ、及びスプロケット４４ｃが介装されている。具体的には、スプロケット４４ｃがベアリング４４ｂに装着され、そのベアリング４４ｂがインナープレート４４ａに装着されている。そして、インナープレート４４ａがリベット４４ｄにより両外板４１の間に固着され、これにより、スプロケット４４ｃは回転可能にインナープレート４４ａにより軸支されている。
【００２６】
さらに、両外板４１の先端寄りの中央部には、２個の水平器４５を収納する孔４１ａ、４１ｂが各々透設されている。また、同様に、内板４２の先端寄りの中央部には、２個の水平器４５を収納する孔４２ａ、４２ｂが透設されている。この孔４１ａ、４２ａは、両外板４１及び内板４２の長手方向に対し垂直方向に長く透設され、孔４１ｂ、４２ｂは、両外板４１及び内板４２の長手方向に対し平行方向に長く透設されている。そして、２個の水平器４５が案内板４０に互いに垂直に組み付けられると、１個の水平器４５が案内板４０の長手方向に垂直に配置され、他方の水平器４５が案内板４０の長手方向に平行に配置される。これにより、案内板４０の長手方向、及び長手方向に対し垂直方向について、案内板４０を水平に調整することができる。
【００２７】
図６に示すように、水平器４５は棒状をなし、長手方向に垂直な断面が円形である。そして、樹脂性のハウジング４６内に液体４７が気泡４８とともに封入されている。また、中板４２の孔４２ａ、４２ｂの幅（水平器４５の径方向に対応）は、水平器４５の直径と同じか、わずかに大きくなっている。そして、両外板４１の孔４１ａ、４１ｂの幅（水平器４５の径方向に対応）は、水平器４５の直径よりわずかに小さくなっている。これにより、水平器４５を案内板４０に固着することができる。
【００２８】
このチェーンソーの案内板４０では、中板４２の孔４２ａ、４２ｂに水平器４５を嵌入し、両外板４１を両側より密着させる。そして、スポット溶接等により、両外板４１と中板４２とを固着すれば、水平器４５が案内板４０に固着され、図５に示すように、チェーンソーの案内板４０が組立てられる。ただし、スプロケット４４ｃの組み付けの説明は省略する。なお、水平器４５として、目盛りが付されたものを用いることが好ましい。
【００２９】
実施形態２のチェーンソーの案内板４０では、案内板４０に水平器４５が設けられているため、作業者は水平器４５を見ることにより容易に案内板４０を水平に維持することができる。そのため、このチェーンソーの案内板４０を用いれば、経験の浅い者であっても容易に受け口や追い口を形成することが可能である。したがって、このチェーンソーの案内板４０によれば、早くかつ確実に木を伐採することができる。
【００３０】
また、このチェーンソーの案内板４０においては、水平器４５が案内板４０に埋設されているため水平器４５が邪魔にならず、作業時や収納時の取り扱いが容易である。
【００３１】
さらに、このチェーンソーの案内板４０においては、水平器４５が棒状であるため、高精度でチェーンソーの案内板４０を水平に維持することができる。なお、目盛りが付された水平器４５を用いるのであれば、チェーンソーの案内板４０を容易に所望の角度に維持することができる。これにより、特に、受け口の斜め切りが容易になる。
【００３２】
以上、本発明のチェーンソーの案内板を実施形態１、２に即して説明したが、本発明はこれらに制限されるものではなく、本発明の技術的思想に反しない限り、適宜変更して適用できることはいうまでもない。例えば、実施形態１で用いた円盤状の水平器を、実施形態２で示したように、２枚の外板で挟んで固着させてもよい。また、実施形態２において、断面円形の水平器を採用したが、断面六角形の水平器を採用してもよい。さらに、実施形態１、２の案内板として２種類のものを用いたが、例えば、先端部を交換可能なもの（特開平５−１９２９０１号公報参照）を用いてもよい。
【符号の説明】
【００３３】
２０，４０…チェーンソーの案内板、２１，４３…ガイド溝、２２…超硬部材、２５，４５…水平器、２６，４６…ハウジング、２７，４７…液体、２８，４８…気泡、２３，４１ａ，４１ｂ，４２ａ，４２ｂ…孔、２４…蓋、４１…外板、４２…内板、４４ｃ…スプロケット。
【図１】
2014004765.tif 000003
【図２】
2014004765.tif 000004
【図３】
2014004765.tif 000005
【図４】
2014004765.tif 000006
【図５】
2014004765.tif 000007
【図６】
2014004765.tif 000008
【図７】
2014004765.tif 000009